(57)【要約】【課題】  液晶表示装置の駆動回路に電源を再入力する時に、駆動回路の外部からレジスタ設定データを入力しなくても、画像データのみを入力すれば画像表示可能とする。【解決手段】  液晶表示装置の駆動回路であって、マトリックス状に配置された複数の画素と、画素の各々を駆動する複数のスイッチング素子と、スイッチング素子に接続された複数の信号線と、走査信号を供給する走査線と、信号線を駆動する信号線駆動回路１と、走査線を駆動する走査線駆動回路３と、外部電源に接続可能な電源ＩＣ２と、電源ＩＣ２に電力が供給されていない時であっても第１記憶内容を保持可能な不揮発メモリー４ｃと、電源ＩＣ２に電力が供給されていない時に記憶内容が消滅する第１レジスタ回路１ｉを有し、電源ＩＣ２への電力供給再開時に不揮発メモリー４ｃに保持されている第１記憶内容が第１レジスタ回路１ｉに設定されるソースドライバーＩＣ１と、を備える。【選択図】    図１
2005266336.tif 000002
【特許請求の範囲】
【請求項１】
マトリックス状に配置された複数の画素と、
前記画素の各々を駆動する複数のスイッチング素子と、
前記スイッチング素子に接続された複数の信号線と、
走査信号を供給する走査線と、
前記信号線を駆動する信号線駆動回路と、
前記走査線を駆動する走査線駆動回路と、
外部電源に接続可能な電源ＩＣと、
前記電源ＩＣに電力が供給されていない時であっても第１記憶内容を保持可能な不揮発メモリーと、
前記電源ＩＣに電力が供給されていない時に記憶内容が消滅する第１レジスタ回路を有し、前記電源ＩＣへの電力供給再開時に前記不揮発メモリーに保持されている前記第１記憶内容が前記第１レジスタ回路に設定されるソースドライバーＩＣと、を備える液晶表示装置の駆動回路。
【請求項２】
前記不揮発メモリーは、前記電源ＩＣに電力が供給されていない時であってもさらに第２記憶内容を保持可能であって、
前記電源ＩＣは、電力が供給されていない時に記憶内容が消滅する第２レジスタ回路を有し、電力供給再開時に前記不揮発メモリーに保持されている前記第２記憶内容が前記第２レジスタ回路に設定される、請求項１記載の液晶表示装置の駆動回路。
【請求項３】
前記ソースドライバー回路は、発振回路を、
前記電源ＩＣは、コモン電圧回路を備え、
前記第１記憶内容は、前記発振回路の発振周波数の設定データを、
前記第２記憶内容は、前記コモン電圧回路の設定データを含む、請求項１又は２記載の液晶表示装置の駆動回路。
【請求項４】
前記ソースドライバー回路は、フレームメモリー回路をさらに備え、
前記第１記憶内容は、前記フレームメモリー回路の設定データをさらに含む、請求項１乃至３のいずれか一項に記載の液晶表示装置の駆動回路。
【発明の詳細な説明】
【技術分野】
【０００１】
本発明は、液晶表示装置の駆動回路に関し、特に電力供給再開後画像データ入力前にレジスタ回路にレジスタ設定データを設定する必要がある液晶表示装置の駆動回路に関する。
【背景技術】
【０００２】
最近の半導体プロセス技術の進歩発展に伴って、液晶表示装置を構成する画素アレイ部と駆動回路を同一のガラス基板上に形成することが可能になっている（例えば、特許文献１参照。）。
【特許文献１】特開２００２−３５８０２５号公報
【発明の開示】
【発明が解決しようとする課題】
【０００３】
図３に示すように、液晶パネル３０上にソースドライバーＩＣ３１のチップと電源ＩＣ３２のチップが実装されている。また、液晶パネル表示領域（画素アレイ部）１５の外に、ゲートドライバー回路（走査線駆動回路）３、及び信号線選択回路（アナログスイッチ）７を備える。
【０００４】
ＣＰＵ−Ｉ／Ｆ５からソースドライバーＩＣ３１に信号が入力される。ソースドライバーＩＣ３１及び電源ＩＣ３２は、電源端子（ＶＣＣ）又は接地端子（ＧＮＤ）６に接続されている。
【０００５】
ＣＰＵ−Ｉ／Ｆ５からソースドライバーＩＣ３１に入力されるＣＰＵ−Ｉ／Ｆ信号は、ソースドライバーＩＣ３１内のＣＰＵ−Ｉ／Ｆ制御回路（図示せず）と電源ＩＣ３２内のレジスタ回路（図示せず）を設定するための信号と映像データ信号とに分けることができる。
【０００６】
例えば携帯電話用液晶ディスプレイなどに関しては、液晶ディスプレイ（ＬＣＤ）メーカーが、レジスタ設定表を携帯電話セットメーカーへ渡し、携帯電話セットメーカーが携帯電話本体に使用するＩＣにレジスタ設定データを入力していた。
【０００７】
そのため液晶表示装置の駆動について熟知していないソフトウェアエンジニアが、レジスタ設定データを誤入力することがあり、液晶表示装置を誤動作させたり破壊したりするという問題を発生させていた。
【課題を解決するための手段】
【０００８】
本発明の特徴は、液晶表示装置の駆動回路であって、マトリックス状に配置された複数の画素と、画素の各々を駆動する複数のスイッチング素子と、スイッチング素子に接続された複数の信号線と、走査信号を供給する走査線と、信号線を駆動する信号線駆動回路と、走査線を駆動する走査線駆動回路と、外部電源に接続可能な電源ＩＣと、電源ＩＣに電力が供給されていない時であっても第１記憶内容を保持可能な不揮発メモリーと、電源ＩＣに電力が供給されていない時に記憶内容が消滅する第１レジスタ回路を有し、電源ＩＣへの電力供給再開時に不揮発メモリーに保持されている第１記憶内容が第１レジスタ回路に設定されるソースドライバーＩＣと、を備えることにある。
【０００９】
不揮発メモリーは、電源ＩＣに電力が供給されていない時であってもさらに第２記憶内容を保持可能であって、電源ＩＣは、電力が供給されていない時に記憶内容が消滅する第２レジスタ回路を有し、電力供給再開時に不揮発メモリーに保持されている第２記憶内容が第２レジスタ回路に設定される、ことが好ましい。
【００１０】
また、ソースドライバー回路は、発振回路を、電源ＩＣは、コモン電圧回路を備え、第１記憶内容は、発振回路の発振周波数の設定データを、第２記憶内容は、コモン電圧回路の設定データを含む、ことが好ましい。
【００１１】
また、ソースドライバー回路は、フレームメモリー回路をさらに備え、第１記憶内容は、フレームメモリー回路の設定データをさらに含む、ことが好ましい。
【発明の効果】
【００１２】
本発明の特徴によれば、液晶表示装置を動作させるために必要なレジスタ設定データを、電力供給再開時に液晶表示装置駆動回路の外部から入力する必要がないため、液晶表示装置駆動回路へ画像データのみを入力するだけで液晶表示装置に画像を出力させることが可能となる。
【発明を実施するための最良の形態】
【００１３】
以下、図面を参照しながら本発明の実施形態を説明するが、本発明はこれらの実施の形態に限定されるものではない。以下の図面の記載において、同一又は類似の部分には同一又は類似の符号を付している。
【実施例１】
【００１４】
図１を用いて本発明の実施例を説明する。図１は、本発明の実施例１にかかる携帯電話用液晶表示装置の回路ブロック図であって、フレームメモリー回路を備える。
【００１５】
液晶パネル２０ａ上にソースドライバーＩＣ（信号線駆動回路）１のチップと電源ＩＣ２のチップが実装されている。また、液晶パネル表示領域１５の外に、ゲートドライバー回路（走査線駆動回路）３、レジスタ保存回路４及び信号線選択回路７を備える。
【００１６】
ソースドライバーＩＣ１は、ＣＰＵ−Ｉ／Ｆ制御回路１ａと、フレームメモリー回路１ｂと、ラッチ回路１ｃと、レベルシフト回路１ｄと、出力回路１ｅと、発振回路１ｆと、タイミング発生回路１ｇと、階調電圧発生回路１ｈとを備える。ＣＰＵ−Ｉ／Ｆ制御回路１ａはレジスタ回路（第１レジスタ回路）１ｉを含む。
【００１７】
電源ＩＣ２は、レジスタ回路（第２レジスタ回路）２ａと、電源回路２ｂと、レベルシフト回路２ｃと、コモン電圧回路２ｄとを備える。
【００１８】
ゲートドライバー回路３は、シフトレジスタ回路３ａと、レベルシフト回路３ｂと、出力回路３ｃとを備える。
【００１９】
レジスタ保存回路４は、レベルシフト回路４ａと、レジスタ回路４ｂと、メモリー回路４ｃとを備える。メモリー回路４ｃは、フラッシュメモリーなどの不揮発メモリーである。
【００２０】
ＣＰＵ−Ｉ／Ｆ５からソースドライバーＩＣ１に入力されるＣＰＵ−Ｉ／Ｆ信号は、ソースドライバーＩＣ１内のＣＰＵ−Ｉ／Ｆ制御回路１ａに含まれるレジスタ回路１ｉと電源ＩＣ２内のレジスタ回路２ａを設定するための信号と映像データ信号とに分けることができる。
【００２１】
ソースドライバーＩＣ１及び電源ＩＣ２は、電源端子（ＶＣＣ）又は接地端子（ＧＮＤ）６に接続されている。
【００２２】
ＣＰＵ−Ｉ／Ｆ制御回路１ａ内のレジスタ回路１ｉと電源ＩＣ２内のレジスタ回路２ａを設定するための信号は、ソースドライバーＩＣ１に送られ、ソースドライバーＩＣ１からレジスタ保存回路４に送られ、液晶表示装置の駆動に必要なレジスタ設定値はレジスタ保存回路４中のメモリー回路４ｃに保存される。
【００２３】
レジスタ設定値（設定データ）とは、例えば以下のようなデータである：
（１）ソースドライバーＩＣ１の発振回路１ｆの発信周波数に関する設定データ
（２）液晶表示装置の駆動回路を動作させるための各種電源電圧の設定データ
（３）電源ＩＣ２のコモン電圧回路２ｄの設定データ
（４）ソースドライバーＩＣ１のフレームメモリー回路１ｂの設定データ
（５）ソースドライバーＩＣ１の１走査時間及び１フレーム周期の設定データ
（６）ＣＰＵ−Ｉ／Ｆの種類の設定データ（ビット数など）
これらの設定データを所定の回路に設定した後に、表示画素数分の映像データを受け取ると液晶パネル表示領域１５に映像が表示される。
【００２４】
メモリー回路４ｃは、液晶表示装置の電源（ＶＣＣ）６がオフ（ＯＦＦ）されても、レジスタ設定値を保持可能なメモリー回路である。
【００２５】
そして、電源が再度、投入されるとＣＰＵ−Ｉ／Ｆ制御回路１ａからレジスタ保存回路４へメモリー呼び出し信号が送られ、レジスタ保存回路４のメモリー回路４ＣからソースドライバーＩＣ１内のレジスタ回路１ｉへレジスタ設定データが送られ、レジスタ設定が行われる。なお、レジスタ設定が完了するまでＣＰＵ−Ｉ／Ｆ制御回路１ａはＣＰＵ−Ｉ／Ｆ５から映像データを受け付けない。
【００２６】
このようにして再度、電源がオン（ＯＮ）されたときには、メモリー回路４ｃからレジスタ設定値が呼び出されて、レジスタ設定がなされるので、携帯本体側からは映像データのみを入力すれば液晶パネル表示領域１５に映像を表示させることが出来る。
【００２７】
携帯電話セットメーカーなどのユーザーに液晶表示装置の駆動回路を出荷する前に、レジスタ保存回路４のメモリー回路４ｃにレジスタ設定値を読みこませる作業を終了させておくことによって、セットメーカー側でレジスタ設定値を誤入力することに起因する液晶表示装置の誤動作、または液晶表示装置の破壊を防止することができる。
【実施例２】
【００２８】
図２を用いて本発明の実施例を説明する。図２は、本発明の実施例２にかかる携帯電話用液晶表示装置の回路ブロック図であって、フレームメモリー回路を備えていない。
【００２９】
液晶パネル２０ｂ上にソースドライバーＩＣ（信号線駆動回路）８のチップと電源ＩＣ２のチップが実装されている。また、液晶パネル表示領域（例えば、２４０×ＲＧＢ×３２０ピクセル）１５の外に、ゲートドライバー回路（走査線駆動回路）３、レジスタ保存回路４及び信号線選択回路７を備える。
【００３０】
ソースドライバーＩＣ８は、ＣＰＵ−Ｉ／Ｆ制御回路８ａと、ラッチ回路８ｃと、レベルシフト回路８ｄと、出力回路８ｅと、発振回路８ｆと、タイミング発生回路８ｇと、階調電圧発生回路８ｈとを備える。ＣＰＵ−Ｉ／Ｆ制御回路８ａは、レジスタ回路８ｉを含む。
【００３１】
電源ＩＣ２、ゲートドライバー回路３、及びレジスタ保存回路４の構成は、実施例１と同様であるから、説明を省略する。
【００３２】
ＣＰＵ−Ｉ／Ｆ制御回路８ａに含まれるレジスタ回路８ｉと電源ＩＣ２内のレジスタ回路２ａを設定するための信号は、ＣＰＵ−Ｉ／Ｆ（シリアル）１０からソースドライバーＩＣ８に送られ、ソースドライバーＩＣ８からレジスタ保存回路４に送られ、液晶表示装置の駆動に必要なレジスタ設定値がレジスタ保存回路４中のメモリー回路４ｃに保存される。
【００３３】
メモリー回路４ｃは、液晶表示装置の電源（ＶＣＣ）６がオフ（ＯＦＦ）されてもレジスタ設定値を保持可能なメモリー回路である。このため再度、電源をオン（ＯＮ）したときには、レジスタ保存回路４からレジスタ設定値を呼び出すことによって、携帯本体側からは、ＲＧＢ−Ｉ／Ｆ信号（映像信号）９のみを入力すれば液晶パネル表示領域１５に映像を表示させることが出来る。
【００３４】
実施例１と同様に、携帯電話セットメーカーなどのユーザーに液晶表示装置の駆動回路を出荷する前に、レジスタ保存回路４のメモリー回路４ｃにレジスタ設定値を読みこませる作業を終了させておくことによって、セットメーカー側でレジスタ設定値を誤入力することに起因する液晶表示装置の誤動作、または液晶表示装置の破壊を防止することができる。
【図面の簡単な説明】
【００３５】
【図１】本発明の実施例１にかかる携帯電話用液晶表示装置の回路ブロック図。
【図２】本発明の実施例２にかかる携帯電話用液晶表示装置の回路ブロック図。
【図３】従来の携帯電話用液晶表示装置の回路ブロック図。
【符号の説明】
【００３６】
１，８，３１…ソースドライバーＩＣ、  ２，３２…電源ＩＣ、
３…ゲートドライバー回路（走査線駆動回路）、４…レジスタ保存回路、
５…ＣＰＵ−Ｉ／Ｆ、６…電源端子又は接地端子、
７…信号線選択回路、１５…液晶パネル表示領域（画素アレイ部）、
２０，３０…液晶パネル
【図１】
2005266336.tif 000003
【図２】
2005266336.tif 000004
【図３】
2005266336.tif 000005